(57)【要約】      （修正有）【課題】留め具本来の機能に新たな意味合いをもたせた装身具を提供する。【解決手段】装身具であるネックレス１０は、長尺体１２，１４の第１端部１８と第１端部とは反対側の第２端部２２とを連結して長尺体をループ状にする留め具２６を有する。留め具２６は、第１端部側に設けられた第１部品である金具２０と、第２端部側に設けられた第２部品である金具２４と、を備える。金具２０、２４は、外観が人または動物の顔部分を含む形状をしており、金具２４の顔部分における口元に、金具２０の一部に連結される連結部材が設けられている。【選択図】図１
0003217496.tif 000002
【実用新案登録請求の範囲】
【請求項１】
長尺体の第１端部と当該第１端部とは反対側の第２端部とを連結して当該長尺体をループ状にする留め具を有する装身具であって、
前記留め具は、
前記第１端部側に設けられた第１部品と、
前記第１部品の一部に連結される連結部材を含み、前記第２端部側に設けられた第２部品と、
を備え、
前記第２部品は、その外観が人または動物の顔部分を含む形状をしており、当該顔部分における口元に前記連結部材が設けられていることを特徴とする装身具。
【考案の詳細な説明】
【技術分野】
【０００１】
本考案は、装身具に関し、特に、長尺体をループ状にする留め具を有する装身具に関する。
【背景技術】
【０００２】
例えば、ネックレスは、チェーンや組紐、革紐といった長尺体をループ状にして首周りに装着する装身具として広く一般に知られている。長尺体には、その両端部を連結するための留め具が設けられている。この留め具は、カニカン、引き輪といったフック部品と、マルカン、板カンといった環状部品との組合せで構成される（特許文献１）。
【先行技術文献】
【特許文献】
【０００３】
【特許文献１】実用新案登録第３１９９８４８号公報
【考案の概要】
【考案が解決しようとする課題】
【０００４】
ところで、ネックレスは、身体の一部を装飾する目的で使用するものであるため、全体的なデザインは勿論のこと部分的なデザインも重視されるが、装着時に必ず操作を要する留め具の使い易さもまた重要な要素となる。このような観点から、ネックレスを創作する際には、留め具にもデザイン性と機能性の両方が求められることが多い。
【０００５】
一方、ネックレスが装着されると、留め具を構成する部品同士は必ず相互に連結した状態になるのだが、従来公知のネックレスにおいて、この状態は、長尺体の両端部を連結してループ状にするという留め具本来の機能が発揮されているにすぎず、ほかに特別な意味合いはない。これは、ネックレスに限らず、手首に装着するブレスレットや足首に装着するアンクレットなど、長尺体をループ状にして装着する他の装身具にも共通する。
【０００６】
上記した課題に鑑み、本考案は、留め具本来の機能に新たな意味合いをもたせた装身具を提供することを目的する。
【課題を解決するための手段】
【０００７】
上記目的を達成するため、本考案は、長尺体の第１端部と当該第１端部とは反対側の第２端部とを連結して当該長尺体をループ状にする留め具を有する装身具であって、前記留め具は、前記第１端部側に設けられた第１部品と、前記第１部品の一部に連結される連結部材を含み、前記第２端部側に設けられた第２部品と、を備え、前記第２部品は、その外観が人または動物の顔部分を含む形状をしており、当該顔部分における口元に前記連結部材が設けられていることを特徴とする。
【考案の効果】
【０００８】
上記構成を有する本考案の装身具によれば、留め具の構成部品である第２部品の外観が人または動物の顔部分を含む形状をしており、第１部品の一部に連結される連結部材が顔部分の口元に設けられているので、第１部品の一部に第２部品の連結部材が連結された状態になると、人または動物がキスした状態が表現されることとなる。その結果、長尺体の両端部を連結してループ状にするという留め具本来の機能に新たな意味合いをもたせることが可能となる。
【図面の簡単な説明】
【０００９】
【図１】実施形態に係るネックレスの全体構成を示す図である。
【図２】（ａ）は留め具の構成部品である金具を示す図、（ｂ）は留め具を構成する金具同士が連結した状態を示す図である。
【考案を実施するための形態】
【００１０】
以下、本考案に係る装身具の実施形態について、ネックレスを例にとり、図面を参照しながら説明する。
【００１１】
図１に示すように、実施形態に係るネックレス１０は、２連ネックレスとよばれるタイプのものであり、長さが異なる２本の長尺体１２，１４を有する。長尺体１２，１４の各々は、球状をした複数のビーズ１６，…１６を含む。ビーズ１６，…１６の各々には、貫通孔（不図示）が開設されている。そして、それぞれの貫通孔にワイヤが挿通されてビーズ１６，…１６の各々が数珠つなぎに連結されることによって、長尺体１２，１４が構成されている。
【００１２】
長尺体１２，１４の第１端部１８側には、第１部品である金具２０が設けられている。また、長尺体１２，１４の第１端部１８とは反対側の第２端部２２側には、第２部品である金具２４が設けられている。この金具２０と金具２４の組合せで、長尺体１２，１４の第１端部１８と第２端部２２とを連結する留め具２６が構成されている。
【００１３】
金具２０と金具２４とは、左右対称のデザインになっていること以外は、基本的に同じ構成である。よって、以下、金具２４について代表的に説明することとし、金具２０についての詳細な説明は省略する。
【００１４】
図２（ａ）に示すように、金具２４は、その外観が海の動物である魚をモチーフにした形状をしている。金具２４の表面には、目や口元を含む顔部分のほか、背びれ、腹びれ、尾びれ、鱗などを表す彫刻があしらわれている。また、口元には、連結部材２４Ａが設けられている。連結部材２４Ａは、口元にあるリング２４Ｂに揺動可能に取り付けられたハウジング２４Ａ−１内に磁石２４Ａ−２が固定されたものである。金具２４は、尾びれ側が長尺体１２，１４の第２端部２２側と連結されている。
【００１５】
図２（ｂ）に示すように、金具２４の連結部材２４Ａが、磁石２４Ａ−２の磁力によって、金具２０側の連結部材２０Ａに連結した状態になると、長尺体１２，１４の第１端部１８と第２端部２２とが連結されて、長尺体１２，１４はループ状になる。これにより、ネックレス１０は、首周りに装着可能な状態となる。このとき、留め具２６は胸元に配置される。
【００１６】
ここで、デザイン的な観点から、金具２０と金具２４が相互に連結した状態に再度着目してみると、２匹の魚がキスした状態が表現されている。つまり、本実施形態では、ネックレス１０を首周りに装着するために、留め具２６を構成する金具２０と金具２４を連結するという必要不可欠な要素に対し、長尺体１２，１４の両端部１８，２２を連結するという留め具２６本来の機能とは別の新たな意味合いをもたせることが可能となっているのである。
【００１７】
以上、本考案に係る装身具を実施形態に基づいて説明してきたが、本考案は、上記した形態に限らないことは勿論であり、例えば、以下のような形態で実施されても構わない。
【００１８】
＜変形例＞
（１）上記実施形態では、魚をモチーフにした金具２０，２４が採用されているが、例えば、象やキリンといった陸の動物をモチーフにしてもよいし、人をモチーフにしてもよい。要は、金具の外観が、人または動物の顔部分を含む形状をしており、顔部分の口元に連結部材が設けられていれば、上記実施形態と同様の効果が得られるのである。また、金具２０と金具２４では、モチーフが左右対称のデザインとなっていたが、金具のモチーフは左右対称のデザインに限定されるものではない。
【００１９】
（２）上記実施形態では、留め具２６を構成する金具２０，２４の両方が外観上の形態に特徴を有するものであったが、上記実施形態のような外観上の形態に特徴を有する金具を少なくとも一つ備えていればよい。
【００２０】
（３）上記実施形態では、留め具を構成する両方の金具に磁石を含む連結部材が用いられているが、片方の金具の連結部材は、必ずしも磁石が用いられている必要はなく、例えば、磁石に替えて、金属板などの磁性材料を用いても構わない。あるいは、カニカン、引き輪といったフック部品と、マルカン、板カンといった環状部品との組合せからなる公知の留め具用部材を連結部材に用いても構わない。
【００２１】
（４）上記実施形態では、長尺体として、ビーズを数珠つなぎに連結したものを用いたが、チェーンや組紐、革紐などの公知の部材を用いたネックレスに適用することも勿論可能である。また、２連ネックレスに限らず、１連ネックレスや３連以上のネックレスに適用しても構わない。
【００２２】
（５）上記実施形態では、ネックレス１０を例示したが、ブレスレットやアンクレットなどの他の装身具に適用しても構わない。あるいは、帽子やカバンなどを装飾するアクセサリーにも適用することが可能である。
【００２３】
本考案は、その趣旨を逸脱しない範囲で当業者の知識に基づいて種々なる改良、修正、又は変形を加えた態様でも実施できる。また、同一の作用又は効果が生じる範囲内で、何れかの考案特定事項を他の技術に置換した形態で実施しても良い。
【符号の説明】
【００２４】
１０    ネックレス
１２    長尺体
１４    長尺体
２０    金具（第１部品）
２４    金具（第２部品）
２４Ａ  連結部材
２６    留め具
【図１】
0003217496.tif 000003
【図２】
0003217496.tif 000004